(57)【要約】【課題】本発明は、原稿搬送経路内のシェーディング板にごみが付着しにくい画像読取装置を提供する。【解決手段】原稿Ｇの表裏に存する画像を、それぞれシートスルー方式で個別に読み取る原稿表面読取ユニット200および原稿裏面読取部140とを有し、原稿裏面読取部140がＡＤＦユニット100の機枠内に設けられた筐体内141に収容されているスキャナ１であって、筐体141内は、外壁の一部がプラテンガラス1151からなり原稿裏面読取部140は、筐体141内において、プラテンガラス1151を透過した光を受光する複数の撮像ユニット部144が前記原稿の主走査方向に列設されてなるアレイセンサ142と、筐体141内において、アレイセンサ142とプラテンガラス1151とに挟まれた受光位置と、受光位置から退避した退避位置との間で移動自在に設けられたシェーディング板1150と、シェーディング板1150を受光位置と退避位置との間で移動させる移動機構1140とを備える。【選択図】図２
2011182168.tif 000002
【特許請求の範囲】
【請求項１】
原稿搬送部と、これによって搬送される原稿の表裏に存する画像を、それぞれシートスルー方式で個別に読み取る第１および第２の読み取り手段を有し、第２の読み取り手段が前記原稿搬送部の機枠内に設けられた筐体内に収容されている画像読取装置であって、
前記筐体は、一部がプラテンガラスからなり、
第２の読み取り手段は、
前記筐体内において、前記プラテンガラスを透過した光を受光する複数の光学センサが前記原稿の主走査方向に列設されてなるアレイセンサと、
前記筐体内において、前記アレイセンサと前記プラテンガラスとに挟まれた第１の位置と、当該第１の位置から退避した第２の位置との間で移動自在に設けられたシェーディング板と、
前記シェーディング板を第１の位置と第２の位置との間で移動させる移動手段と
を備えることを特徴とする画像読取装置。
【請求項２】
前記移動手段の駆動源は、前記筐体の外部に設けられていることを特徴とする請求項１に記載の画像読取装置。
【請求項３】
前記筐体は、気密構造を有し、
前記駆動源は、前記筐体の前記主走査方向における外側に配設された電磁石であって、
前記移動手段は、前記電磁石と、前記シェーディング板を前記移動方向に案内するガイド部と、前記シェーディング板の前記主走査方向における端部において、前記電磁石と対向するように配設された永久磁石とからなることを特徴とする請求項２に記載の画像読取装置。
【請求項４】
前記電磁石は、強磁性体からなるＥ字状の部材の中央の突起部にコイルが巻回されてなるものであって、当該突起部の先端が前記外側面に近接もしくは接触しており、
前記永久磁石は、Ｕ字状であって、前記シェーディング板の前記端部において、前記Ｕ字の開口部が前記電磁石のある方向を向くように配設されていることを特徴とする請求項３に記載の画像読取装置。
【発明の詳細な説明】
【技術分野】
【０００１】
シートスルー方式で原稿の画像を読み取る原稿読取部が自動原稿搬送装置に内蔵されている原稿読取装置に関し、特に、原稿読取部におけるシェーディング板にゴミが付着することを防止する技術に関する。
【背景技術】
【０００２】
スキャナなどの画像読取装置としては、原稿を搬送する自動原稿搬送装置（以下、「ＡＤＦ：Auto Document Feeder」という。）と、前記ＡＤＦにより搬送される原稿の表裏の画像を個別に読み取る２つの画像読取部とを備え、光学系を静止させた状態で、原稿を移動させながら読み取るシートスルー方式により、原稿搬送動作中に当該原稿の表裏の画像を並行して読み取る、いわゆる両面同時読み取りタイプの画像読取装置がある。
【０００３】
図７は、このような画像読取装置の概略側面図である。
同図に示すように、画像読取装置５０００は、画像読取部６２３０を収容する筐体６１０１上に、画像読取部５２００を内蔵するＡＤＦ５１００が載架されてなる。
ここで、画像読取部５２００および６２３０は、それぞれ原稿Ｇの表面側および裏面側を読み取るものであって、いずれも同様の構成を有している。
【０００４】
より具体的には、画像読取部５２００は、複数の撮像素子５２０１が原稿Ｇの主走査方向（同図の紙面垂直方向）に直線状に配列され、さらに、この配列方向と平行に管状の光源５２０２が設けられてなり、また、画像読取部６２３０も同様に、複数の撮像素子６２３０ａが原稿Ｇの主走査方向に直線状に配列され、さらに、この配列方向と平行に管状の光源６２３０ｂが設けられている。
【０００５】
また、画像読取部６２３０は、自ら移動しながら原稿画像を読み取る、いわゆるユニットスキャン方式での原稿読み取りも実施できるように、不図示の駆動機構により矢印Ｙ方向に移動可能に設けられている。
原稿Ｇの搬送経路上には、筐体６１０１の上部を形成しているプラテンガラス６２２０の直上にあって、原稿Ｇの主走査方向に延びる画像読取領域Ｑと、当該領域Ｑよりも原稿Ｇの搬送方向下流側にあり、画像読取部５２００の直下において原稿Ｇの主走査方向に延びる画像読取領域Ｒとが存在する。
【０００６】
原稿Ｇの両面の画像を読み取る場合、画像読取部６２３０は、画像読取領域Ｑの下方に位置し、原稿ＧがＡＤＦ５１００によって搬送される過程で、画像読取領域Ｑ内の表面側原稿画像を読み取ると共に、画像読取部５２００は、画像読取領域Ｒ内の裏面側原稿画像を読み取る。
これにより１回の原稿搬送動作で原稿Ｇの表裏両面の画像を同時に読み取ることができる。
【０００７】
また、画像読取装置５０００には、同図に示すように、シェーディング板５２０３および６２３１が設けられている。
ここで、シェーディング板とは、原稿に向けて光を照射する光源を点灯させたときの照度の不均一、もしくは、当該原稿で反射する光を受光する原稿撮像素子の感度の不均一等によって生じる入力画像の濃度レベルのむらを補正（シェーディング補正）するために、画像の濃度レベルの基準として用いる白い板のことである。
【０００８】
シェーディング補正を実施する場合、画像読取部６２３０は、シェーディング板６２３１の下方のＳ点まで移動し、光源６２３０ｂを点灯させた状態で、白色画像の濃度レベル（以下、「白色レベル」という。）を読み取ればよく、一方、画像読取部５２００は、原稿Ｇが通過していないときに、光源５２０２を点灯させた状態で、シェーディング板６２３１の白色の濃度レベル（以下、「白色レベル」という。）を読み取ればよい。
【０００９】
以上の構成により、画像読取部５２００および６２３０は、濃度レベルの基準となる白色レベルを読み取ることができ、当該白色レベルにもとづいて、公知のシェーディング補正を実行することで、入力画像の濃度レベルのむらが発生することを抑制することができる。
【先行技術文献】
【特許文献】
【００１０】
【特許文献１】特開２００８−７２３５６号公報
【発明の概要】
【発明が解決しようとする課題】
【００１１】
しかしながら、シェーディング板５２０３は、紙粉など舞い易い原稿搬送経路内に設けられているために、ごみが付着し易い。
シェーディング板５２０３にこのようなごみが付着すると、局部的に濃度レベルの基準が狂ってしまい、この映像データにもとづいてシェーディング補正が行われた場合、その後に読み取られた画像に白筋が入るという問題がある。
【００１２】
本発明は、上記問題点に鑑みてなされたものであって、特に、原稿搬送経路内のシェーディング板にごみが付着しにくい画像読取装置を提供することを目的とする。
【課題を解決するための手段】
【００１３】
上記目的を達成するため、本発明に係る画像読取装置は、原稿搬送部と、これによって搬送される原稿の表裏に存する画像を、それぞれシートスルー方式で個別に読み取る第１および第２の読み取り手段を有し、第２の読み取り手段が前記原稿搬送部の機枠内に設けられた筐体内に収容されている画像読取装置であって、前記筐体は、一部がプラテンガラスからなり、第２の読み取り手段は、前記筐体内において、前記プラテンガラスを透過した光を受光する複数の光学センサが前記原稿の主走査方向に列設されてなるアレイセンサと、前記筐体内において、前記アレイセンサと前記プラテンガラスとに挟まれた第１の位置と、当該第１の位置から退避した第２の位置との間で移動自在に設けられたシェーディング板と、前記シェーディング板を第１の位置と第２の位置との間で移動させる移動手段とを備えることを特徴とする。
【発明の効果】
【００１４】
これにより、シェーディング板が、筐体内において、アレイセンサとプラテンガラスとに挟まれた第１の位置と、当該第１の位置から退避した第２の位置との間で移動自在に設けられているので、シェーディング補正を実施する際にはシェーディング板を第１の位置に移動させ、原稿画像を読み取る場合には、シェーディング板を第２の位置に退避させればよい。
【００１５】
いずれの場合でも、シェーディング板が筐体内にあり、筐体内部に紙粉などのゴミが混入しにくいので、シェーディング板にごみが付着するのを可及的に抑制して、正しいシェーディング補正を実行することができる。
また、前記移動手段の駆動源は、前記筐体の外部に設けられていることが望ましい。
これにより、装置構成が大きくなりやすい駆動源が筐体の外に設けられているため、筐体のサイズを小さく抑えることができ、駆動源の収容スペースさえ確保できれば、装置全体としては小型化することができる。
【００１６】
また、前記筐体は、気密構造を有し、前記駆動源は、前記筐体の前記主走査方向における外側に配設された電磁石であって、前記移動手段は、前記電磁石と、前記シェーディング板を前記移動方向に案内するガイド部と、前記シェーディング板の前記主走査方向における端部において、前記電磁石と対向するように配設された永久磁石とからなることが望ましい。
【００１７】
これにより、筐体内に異物が侵入することがなく、シェーディング板にごみなどが付着することがない。
また、前記電磁石は、強磁性体からなるＥ字状の部材の中央の突起部にコイルが巻回されてなるものであって、当該突起部の先端が前記外側面に近接もしくは接触しており、前記永久磁石は、Ｕ字状であって、前記シェーディング板の前記端部において、前記Ｕ字の開口部が前記電磁石のある方向を向くように配設されていることが望ましい。
【００１８】
これにより、電磁石の極性を切り替えるだけで、簡単にシェーディング板を第１の位置と第２の位置との間で移動させることができる。
【図面の簡単な説明】
【００１９】
【図１】本発明の実施の形態に係るスキャナの全体構成を示す断面概略図である。
【図２】本発明の実施の形態に係るスキャナの構成を示す部分断面斜視図である。
【図３】本発明の実施の形態に係るスキャナの構成を示す断面概略図である。
【図４】本発明の実施の形態に係るスキャナの構成を示す部分断面斜視図である。
【図５】本発明の実施の形態に係るスキャナの構成を示す断面概略図である。
【図６】本発明の実施の形態に係るスキャナの変形例を示す部分断面斜視図である。
【図７】従来のスキャナの全体構成を示す断面概略図である。
【発明を実施するための形態】
【００２０】
以下、本発明に係る画像読取装置の実施の形態を、モノクロスキャナ（以下、単に「スキャナ」という。）に適用した場合を例にして説明する。
（構成）
図１は、本発明の実施の形態に係るスキャナ１の全体構成を示す断面概略図である。
本発明の実施形態に係るスキャナ１は、モノクロスキャナであって、読み取り位置に原稿Ｇを自動搬送すると共に、原稿裏面を読み取り可能なＡＤＦユニット１００と、原稿Ｇの表面を読み取る原稿読取装置としての原稿表面読取ユニット２００とを備え、固定光学系の一つであるシートスルー方式と、移動光学系の一つであるユニットスキャン方式とを切り替えて、原稿画像の読み取りが可能なように構成されている。
【００２１】
さらに、スキャナ１は、シートスルー方式の読み取りにおいて、１回の原稿搬送動作で原稿Ｇの表裏を並行して読み取る、いわゆる両面同時読み取りが可能なように構成されている。
（ＡＤＦユニット１００）
ＡＤＦユニット１００は、シートスルー方式での原稿読み取りが実行される際に駆動され、ユニットスキャン方式で原稿読み取る手置読取モードの実行時においては、原稿の押え板として機能する。
【００２２】
ＡＤＦユニット１００は、機枠１１０と、原稿給紙トレイ１１１と、原稿排紙トレイ１１２と、原稿搬送部１２０と、原稿裏面読取部１４０とを備える。
原稿搬送部１２０は、原稿Ｇを原稿搬送路に沿って案内するガイド板（不図示）と、各種ローラ１１３〜１１８と、これらローラを不図示の電磁クラッチを介して回転駆動させるモータ１２３などからなる。
【００２３】
同図の紙面奥側において、機枠１１０の下部と原稿表面読取ユニット２００の上部との間に設けられた１対のヒンジ（不図示）を介して、上下方向に回動することにより、ＡＤＦユニット１００が原稿表面読取ユニット２００に対して開閉動作する。
そして、片面読取モードでは、原稿給紙トレイ１１１にセットされた原稿束における最上位の原稿Ｇが、給紙ローラ１１３によって原稿束から分離され、第１レジストローラ対１１４を介して第１読取ローラ対１１５まで搬送される。
【００２４】
その後、第１読取ローラ対１１５によって、原稿表面読取ユニット２００に設けられた後述のプラテンガラス２１０上へと搬送される。このとき、原稿Ｇの表面が原稿表面読取ユニット２００によって読み取られる。
また、プラテンガラス２１０上を通過した原稿Ｇは、第２読取ローラ対１１６および第２レジストローラ対１１７を介して排出ローラ対１１８へと搬送され、排出ローラ対１１８によって、原稿排紙トレイ１１２へと排出される。
【００２５】
一方、両面読取モードでは、上述の片面読取モードにおける実行動作に加え、原稿搬送路上の第２読取ローラ対１１６と第２レジストローラ対１１７とに挟まれる区間において、当該区間内に設けられた原稿裏面読取部１４０により、当該区間を通過する原稿Ｇの裏面が読み取られる。
（原稿裏面読取部１４０）
図２は、原稿裏面読取部１４０の構成を示す部分断面斜視図であり、また、図３は、図２におけるＡ‐Ａ’矢視断面図である。
【００２６】
なお、原稿裏面読取部１４０は、内部をより見易くするため、上下を逆転させた状態で示している。
同図２に示すように、原稿裏面読取部１４０は、筐体１４１と、アレイセンサ１４２と、シェーディング板１１５０と、当該シェーディング板１１５０を移動させる移動機構１１４０などを備えている。
【００２７】
筐体１４１は、樹脂などの強磁性体以外の材料からなる箱状のものであって、Ｚ’方向の外壁部分が透光性を有するプラテンガラス１１５１で形成されており、内部が気密になるように構成されている。
これにより、紙粉などのゴミが筐体１４１の内部に侵入することがない。
シェーディング板１１５０は、原稿Ｇの主走査方向（Ｘ軸方向）に長尺な白色の板である。
【００２８】
移動機構１１４０は、当該シェーディング板１１５０を同図２のＹ軸方向に移動させる機構である。
より具体的には、移動機構１１４０は、同図に示すように、筐体１４１内のＸ軸方向の両端側において、Ｙ軸方向に延びる一対のレール１１４６と、当該一対のレール１１４６に対してＹ軸方向へスライド自在に架設されたブリッジ部１１４７と、当該ブリッジ部１１４７のＸ軸方向の両端部にそれぞれ設けられた永久磁石１１４５と、電磁石１１４１とからなる。
【００２９】
電磁石１１４１は、筐体１４１の外部であって、筐体１４１のＸ軸方向における外側面に接触もしくは近接して設けられており、当該Ｅ字のヨーク１１４２の中央の突起部１１４２ａに絶縁膜で覆われた銅線１１４３が巻回されてなる。
ここで、上述したシェーディング板１１５０は、ブリッジ部１１４７のＺ方向側の面に貼り付けられており、ブリッジ部１１４７のスライドに伴って、シェーディング板１１５０もまたＹ軸方向にスライドする。
【００３０】
そして、両面読取モードにおける原稿読取動作を実行する際には、シェーディング板１１５０がアレイセンサ１４２の受光路上から退避する位置（以下、「退避位置」という。）に置かれるように、制御部２８０によって銅線１１４３に直流電流が供給されている。
より具体的には、本実施の形態では、ヨーク１１４２の突起部１１４２ａがＳ極となるように通電されている。
【００３１】
同図２および図３は、シェーディング板１１５０が、このような退避位置Ｐ１（図３参照）に移動した状態を示している。
アレイセンサ１４２は、外形がＸ軸方向に長尺な直方体であって、筐体１４１内に固定されており、光源２１０と撮像ユニット部１４４などからなる。
光源２１０は、円筒直管状の冷陰極ランプである。
【００３２】
撮像ユニット部１４４は、図３に示すように、撮像素子１４４ａとその受光面上に設けられたレンズユニット１４４ｂとの対が、Ｘ軸方向に複数並べられてなる。
ここで、撮像素子１４４ａは、例えば、フォトダイオードなどからなり、また、レンズユニット１４４は、複数のレンズが光軸方向に重ね合わされてなる。
原稿裏面読取部１４０は、原稿Ｇの裏面側を読み取る場合、図３に示すように、原稿がプラテンガラス１１５１上の読取位置を通過する間に、光源２１０から光を照射し、プラテンガラス１１５１上の原稿裏面からの反射光を撮像ユニット部１４４で受光して原稿画像を読み取る。
【００３３】
本実施の形態のスキャナ１では、このような原稿画像の読取動作を実行する前に、事前にシェーディング補正を実施する。
シェーディング補正とは、光源２１０を点灯させたときの照度の不均一、もしくは、撮像素子１４４ａとの感度の不均一等によって生じる、読取対象画像の本来の濃度とこれに対応する画像信号値との間の不整合を是正する補正のことである。
【００３４】
より具体的には、シェーディング補正を実行する処理（以下、「シェーディング補正処理」という。）では、全体が一様な輝度分布を持つ読取対象物、即ち、白色のシェーディング板１１５０の画像を読み取り、全画素のそれぞれについて、予め判っている本来の濃度と検出された画像信号値との間の変換係数を求め、当該変換係数に基づいて画像信号値を補正する。
【００３５】
シェーディング補正処理の実行時において、制御部２８０は、銅線１１４３への通電の正負の極性を逆転させて、シェーディング板１１５０をアレイセンサ１４２の受光路上（以下、「受光位置」という。）に移動させる。
即ち、本実施の形態では、ヨーク１１４２の突起部１１４２ａがＮ極となるように通電する。
【００３６】
これにより、永久磁石１１４５は、電磁石１１４１のＹ’方向に吸引され、ブリッジ部１１４７およびシェーディング板１１５０が受光位置まで移動する。
つまり、電磁石１１４１のＹ軸方向における位置は、突起部１１４２ａがＮ極となったとき、ブリッジ部１１４７およびシェーディング板１１５０がちょうど受光位置で静止するように設定されている。
【００３７】
図４は、シェーディング板１１５０が受光位置に移動して静止した状態を示す図であり、また、図５は、図４におけるＢ‐Ｂ’矢視断面図である。
ここで、同図４に示すように、永久磁石１１４５の両端部のＹ軸方向の幅が、電磁石１１４１の突起部１１４２ａのＹ軸方向における幅よりも大きくなっているのは、永久磁石１１４５にＹ軸方向の吸引力を生じ易くさせるためである。
【００３８】
また、永久磁石１１４５のＮ極およびＳ極となっている端部のＹ軸方向におけるギャップと、Ｅ字状の電磁石１１４１における３つの突起部のうち、隣接する突起部間のＹ軸方向におけるギャップが全て同一の長さに設定されている。
これは、永久磁石１１４５が静止した状態において、その位置が動かないように安定させるためである。
【００３９】
同図５に示すように、シェーディング板１１５０が受光位置Ｐ２に移動した状態で光源２１０を点灯し、アレイセンサ１４２が読取動作を実行して、濃度レベルの基準となる白色画像の濃度レベル、即ち、白色レベルを読み取ることにより、公知のシェーディング補正を実施することができる。
（原稿表面読取ユニット）
原稿表面読取ユニット２００は、操作パネル部１０、機枠１９０、シートスルー用のプラテンガラス２１０、手置き用のプラテンガラス２２０、スキャンユニット２３０、当該スキャンユニット２３０を往復移動させる駆動機構２３１および制御部２８０などを備える。
【００４０】
また、制御部２８０には、スキャンユニット２３０に電力を供給すると共に、スキャンユニット２３０からの画像信号を受信するための平行ケーブル２８１が付設されている。
駆動機構２３１は、スキャンユニット２３０を原稿面に平行な方向に案内するレール２３４と、ステッピングモータ２４０と、ステッピングモータ２４０の駆動軸に取着された駆動プーリ２３７、従動プーリ２３６及び、これらのプーリに巻きかけられたワイヤ２３５を有し、当該ワイヤ２３５をスキャンユニット２３０に接続することにより、スキャンユニット２３０が、駆動プーリ２３７の回転に伴いレール２３４に沿って移動するように構成されている。
【００４１】
操作パネル部１０は、上記機枠１９０の側面に設けられており、３つの読取モード、即ち、片面読取モード、両面読取モードおよび手置読取モードのうち、いずれかのモードを選択するモード選択キー（不図示）および画像読み取りを開始するためのスタートキー（不図示）などが設けられている。
制御部２８０は、上記シェーディング板１１５０の移動制御やシェーディング補正処理の他、各読取モードにおける原稿画像の読み取りを実行するための制御を実施すると共に、画像読取部５２００および画像読取部６２３０で読み取った画像データにエッジ強調やスムージング処理などの公知の画像処理を施して内部のＨＤＤ（不図示）に格納し、あるいは、不図示のケーブルを介して外部端末に送信する機能を有する。
【００４２】
より具体的には、制御部２８０は、操作パネル部１０において、片面読取モードでの画像読み取り指示が受け付けられると、ＡＤＦユニット１００による原稿Ｇの搬送動作とスキャンユニット２３０による原稿表面読取動作を同期させて実行させ、また、操作パネル部１０において、両面読取モードでの画像読み取り指示が受け付けられると、片面読取モードでの画像読み取り動作と同様の動作を実行させると共に、原稿裏面読取部１４０に原稿裏面の読み取りを実行させる。
【００４３】
また、手置読取モードにおいては、制御部２８０は、ステッピングモータ２４０を回転駆動させてスキャンユニット２３０を矢印Ｙの方向に移動させつつ、スキャンユニット２３０により原稿Ｇの表面を読み取らせる。
以上の構成により、本実施の形態のスキャナ１は、原稿裏面を読み取る原稿裏面読取部１４０において、シェーディング板１１５０が気密にされた筐体１４１内においてスライド自在に設けられており、紙粉などのゴミが筐体１４１の内部に侵入することがないので、シェーディング板１１５０が汚れずに済む。
【００４４】
このため、シェーディング補正を実行した場合、いつまでも本来の白さを保ったままのシェーディング板１１５０の画像を読み取ることができるので、シェーディング補正が精度よく実行される。
さらに、電磁石１１４１が筐体１４１の外部に設けられているため、筐体１４１のサイズを小さく抑えることができ、原稿裏面読取部１４０の占有スペースを小さくすることができる。
【００４５】
また、電磁石１１４１のような駆動源に電力が供給されると温度が上昇し、この熱によって銅線１１４３の絶縁膜などからアウトガスなどが発生し、シェーディング板１１５０の表面が、このようなアウトガスに晒されることによって汚れる可能性も考えられるが、このようなアウトガスが発生したとしても、筐体１４１は気密にされており、内部にアウトガスが侵入しないので、シェーディング板１１５０の表面をきれいに保つことができる。
＜変形例＞
本発明は、上述のような実施の形態に限られるものではなく、次のような変形例も実施することができる。
【００４６】
（１）上記実施の形態では、電磁石１１４１を筐体１４１の外部に設ける構成としたが、これに限るものではない。
電磁石１１４１から生じるアウトガスや粉塵などの量は、グリスなどを用いるモータなどと比べて、殆ど無いので、筐体１４１のサイズ拡大が許容されるならば、筐体１４１内に電磁石１１４１を設けても構わない。
【００４７】
（２）上記実施の形態では、筐体１４１は、樹脂などの強磁性体以外の材料からなる箱状のものであるとしたが、これは、永久磁石１１４５と電磁石１１４１との間に筐体１４１の側壁があり、当該筐体１４１が磁界に影響を及ぼさないようにするためである。
したがって、上述のように、電磁石１１４１を筐体１４１内に収容する場合などは、筐体１４１の磁性は問わない。
【００４８】
（３）上記実施の形態では、シェーディング板１１５０をスライドさせるために、永久磁石１１４５と電磁石１１４１とを用いていたが、これに限るものではない。
図５は、永久磁石１１４５および電磁石１１４１を用いない移動機構を採用した原稿裏面読取部の例を示す部分断面斜視図である。
同図に示すように、原稿裏面読取部２１４０は、移動機構２１４０ａのみが原稿裏面読取部１４０の移動機構１１４０と構成的に異なっている。
【００４９】
より具体的には、移動機構２１４０ａは、両端がブリッジ部１１４７に接続されたベルト２１４４と、従動プーリ２１４３と、駆動プーリ２１４２と、ステッピングモータ２１４１とを有している。
そして、ベルト２１４４は、駆動プーリ２１４２および従動プーリ２１４３に巻きかけられており、駆動プーリ２１４２の回転軸芯に接続されているステッピングモータ２１４１を回転駆動することによって、ブリッジ部１１４７がＹ軸方向にスライドするように構成されている。
【００５０】
同図では、モータ２１４１は、グリスや銅線の絶縁材などから発生するアウトガスの問題や省スペース化の観点から、筐体の電磁石１１４１を筐体２１３０の外部に設けている。
上記構成では、ベルト２１４４が筐体２１３０の壁を貫通しなければならないため、筐体２１３０の壁に貫通穴を設ける必要があり、筐体２１３０を完全に気密にすることはできない。
【００５１】
しかしながら、シェーディング板１１５０が原稿Ｇの搬送経路に面して設けられている従来の構成と比べ、シェーディング板１１５０へのゴミの付着は少ないため、それなりの効果を奏する。
（４）なお、上記実施の形態において説明したシェーディング補正は、厳密には、いわゆる白シェーディング補正と呼ばれるものであって、濃度が薄い画像を基準にして、本来の濃度と画像信号値との間の変換係数を求めるものであるが、濃度が濃い画像を基準にして、本来の濃度と画像信号値との間の変換係数を求める、いわゆる黒シェーディング補正と呼ばれる公知の補正がある。
【００５２】
より具体的には、当該黒シェーディング補正では、光源２１０を消灯させた状態で、読み取り対象の有無に関係なく撮像ユニット部１４４により画像を読み取り、上記変換係数を求めている。
このとき、外部からの光が原稿裏面読取部１４０に全く侵入しない構成の場合には、アレイセンサ１４２から出力される画像信号値は、撮像素子１４４ａの暗電流成分のみとなる。
【００５３】
本実施の形態では、外部からの光が原稿裏面読取部１４０に侵入する可能性もあるとして、少しでも基準とする黒色に近い濃度レベルが読み取れるように、シェーディング板１１５０が受光位置Ｐ２させて、外部からの光をできるだけ遮光するようにして、黒シェーディング補正を実施するものとする。
また、黒色の読み取り対象を別途用意し、光源２１０を点灯させた状態で、当該黒色の濃度レベルを読み取ることにより、上記変換係数を求める公知の黒シェーディングもある。
【００５４】
この場合、当該黒シェーディング補正と白シェーディングとをそれぞれ実行可能とするには、シェーディング板１１５０において、Ｙ方向側の幅を延長すると共に、当該延長した部分のＺ方向側の面に黒色のマーキングを施し、さらに、シェーディング板をＹ軸方向に２段階で移動させる機構（以下、「２段階移動機構」という。）を設け、原稿裏面読取部１４０において白と黒のそれぞれの濃度レベルを個別に読み取るように構成すればよい。
【００５５】
ここで、上記２段階移動機構は、例えば、永久磁石を可動子とし、電磁石を固定子として用いる公知のリニアモータの構成を適用することで実現可能である。
（５）上記実施の形態では、本発明に係る画像読取装置をモノクロスキャナに適用した場合の例を説明したが、これに限らず、いわゆる両面同時読取機能を有するカラースキャナにも適用することができる。
【００５６】
また、上記実施の形態および上記変形例の内容をそれぞれ組み合わせるとしてもよい。
【産業上の利用可能性】
【００５７】
本発明は、両面同時読取機能を有するスキャナなどの画像読取装置に広く適用することができる。
【符号の説明】
【００５８】
１    スキャナ
１０    操作パネル部
１００    ＡＤＦユニット
１１０    機枠
１１１    原稿給紙トレイ
１１２    原稿排紙トレイ
１１３    給紙ローラ
１１３、１１４、１１５、１１６、１１７、１１８    ローラ
１１４    レジストローラ対
１１５    読取ローラ対
１１６    読取ローラ対
１１７    レジストローラ対
１１８    排出ローラ対
１２０    原稿搬送部
１２３    モータ
１４０    原稿裏面読取部
１４１    筐体
１４２    アレイセンサ
１４４    撮像ユニット部
１４４ａ  撮像素子
１４４ｂ  レンズユニット
１９０    機枠
２００    原稿表面読取ユニット
２１０    プラテンガラス
２１０    光源
２２０    プラテンガラス
２３０    スキャンユニット
２３１    駆動機構
２３４    レール
２３５    ワイヤ
２３６    従動プーリ
２３７    駆動プーリ
２４０    ステッピングモータ
２８０    制御部
２８１    平行ケーブル
１１４０    移動機構
１１４１    電磁石
１１４２    ヨーク
１１４２ａ  突起部
１１４３    銅線
１１４５    永久磁石
１１４６    レール
１１４７    ブリッジ部
１１５０    シェーディング板
１１５１    プラテンガラス
２１３０    筐体
２１４０    原稿裏面読取部
２１４０ａ  移動機構
２１４１    ステッピングモータ
２１４１    モータ
２１４２    駆動プーリ
２１４３    従動プーリ
２１４４    ベルト
【図１】
2011182168.tif 000003
【図２】
2011182168.tif 000004
【図３】
2011182168.tif 000005
【図４】
2011182168.tif 000006
【図５】
2011182168.tif 000007
【図６】
2011182168.tif 000008
【図７】
2011182168.tif 000009